(57)【特許請求の範囲】
【請求項１】
セルラ通信ネットワークのユーザ機器が取得して用いるための近隣セルリストを基地局において形成する方法であって、複数の近隣セルのそれぞれについて、
前記基地局が前記近隣セルから送信された信号を検出することができるか否かに応じて、第１のコンポーネントの値を割り当てる工程と、
前記近隣セルに対する成功のハンドオーバの試みであるか、又は、不成功のハンドオーバの試みであるかの履歴に応じて、第２のコンポーネントの値を割り当てる工程と、
前記近隣セルリストの前記近隣セルに与えられるべきハンドオーバの優先度を決定する際に用いるため、重み付けパラメータを形成するように前記第１のコンポーネントの値と前記第２のコンポーネントの値とを結合する工程と、
を有することを特徴とする方法。
【請求項２】
前記複数の近隣セルそれぞれについて、第３のコンポーネントの各値を前記ネットワークから受信する工程、をさらに有することを特徴とする請求項１に記載の方法。
【請求項３】
選択信号を、前記ネットワークから受信する工程と、
前記近隣セルに与えられるべき前記ハンドオーバの優先度が前記重み付けパラメータもしくは前記第３のコンポーネントの値に基づくべきであるかを、前記選択信号に基づいて決定する工程と、
をさらに有することを特徴とする請求項２に記載の方法。
【請求項４】
前記近隣セルに与えられるべきハンドオーバの優先度を決定する際に用いるために、第２の重み付けパラメータを形成するように前記第１のコンポーネントの値と前記第２のコンポーネントの値と前記第３のコンポーネントの値とを結合する工程、をさらに有することを特徴とする請求項２に記載の方法。
【請求項５】
選択信号を、前記ネットワークから受信する工程と、
前記近隣セルに与えられるべき前記ハンドオーバの優先度が前記重み付けパラメータに基づくべきか、もしくは、前記第２の重み付けパラメータに基づくべきか、もしくは、前記第３のコンポーネントの値に基づくべきかを、前記選択信号に基づいて決定する工程と、
をさらに有することを特徴とする請求項４に記載の方法。
【請求項６】
企業グループの一部を形成するフェムトセルアクセスポイントにおいて用いるための方法であって、
前記企業グループの一部を形成する複数の近隣セルのそれぞれについて前記重み付けパラメータを形成する工程と、
前記ハンドオーバの優先度に基づいて、前記近隣セルリストに前記近隣セルを含める工程と、
をさらに有することを特徴とする請求項１乃至５のいずれか１項に記載の方法。
【請求項７】
前記企業グループの一部を形成しない少なくとも１つの近隣セルを、前記近隣セルリストに含める工程、をさらに有することを特徴とする請求項６に記載の方法。
【請求項８】
前記企業グループの一部を形成しない少なくとも１つの近隣セルは、マクロ層セルである、ことを特徴とする請求項７に記載の方法。
【請求項９】
有効なスクランブリングコードのリストを受信する工程と、
各有効なスクランブリングコードについて重み付けパラメータを算出すべきか否かを決定する工程と、
重み付けパラメータが算出された各スクランブリングコードを含む接続モード近隣セルリストを形成する工程と、
を有することを特徴とする請求項１乃至８のいずれか１項に記載の方法。
【請求項１０】
各有効なスクランブリングコードを含むアイドルモード近隣セルリストを形成する工程、をさらに有することを特徴とする請求項９に記載の方法。
【請求項１１】
セルラ通信ネットワークについての基地局であって、複数の近隣セルのそれぞれについて、前記基地局はユーザ機器が取得して用いるための近隣セルリストを形成するように構成されており、前記近隣セルリストは、
前記基地局が前記近隣セルから送信された信号を検出することができるか否かに応じて、第１のコンポーネントの値を割り当てることと、
前記近隣セルに対する成功のハンドオーバの試みであるか、又は、不成功のハンドオーバの試みであるかの履歴に応じて、第２のコンポーネントの値を割り当てることと、
前記近隣セルに与えられるべきハンドオーバの優先度を決定する際に用いるため、重み付けパラメータを形成するように前記第１のコンポーネントの値と前記第２のコンポーネントの値とを結合することと、
により形成される、ことを特徴とする基地局。
【請求項１２】
各ステータスについての情報を交換可能なようにローカルエリアネットワークを介して相互に接続されたフェムトセルアクセスポイントのネットワークであって、
それぞれが、請求項１乃至１０のいずれか１項に記載の方法により近隣セルリストを作成するように構成されている、ことを特徴とするネットワーク。
【発明の詳細な説明】
【技術分野】
【０００１】
本発明は、モバイル通信ネットワークに関し、特に、セルラ基地局がその近隣セルリストを作成することができる方法及びシステムに関する。
【背景技術】
【０００２】
他の利点において、セルラ通信ネットワークのユーザに改良されたサービス範囲を提供するために、１つの建物においてフェムトセルアクセスポイントを確立することが知られている。登録されたユーザ機器がフェムトセルアクセスポイントのサービス範囲以内にある場合に、ユーザ機器は、例えば、アクセスポイントへの接続、アクセスポイントから以前から存在する広帯域インターネット接続の上に確立されているセルラネットワークのコアネットワークへの接続を確立することができる。ユーザがフェムトセルアクセスポイントのサービス範囲を離れた場合に、その接続は、他のフェムトセルやセルラネットワークのマクロセル基地局にハンドオーバされることができる。
【０００３】
そのようなフェムトセルアクセスポイントのネットワークを確立することも知られている。
【０００４】
全てのセルラ通信ネットワークに生じる１つの問題は、近隣セルのリストを確立することが各基地局にとって必要であるということである。それは、基地局により提供されるセルにおける各ユーザ機器は近隣セルを認識することができ、その結果、適切な場合に、近隣セルの１つに変更することができるようにするためである。
【０００５】
フェムトセルアクセスポイントの場合、各フェムトセルアクセスポイントは、自身の近隣セルリストを作成する責任がある。また、その作成は、ユーザ機器に多くの近隣セルに過剰な測定を行わせることなく、ユーザ機器にとってのハンドオーバの成功裡の良き可能性を確実にしようとする方法によって行われる。
【０００６】
例えば、単一の建物等やもしくは比較的狭い領域において、フェムトセルアクセスポイントのネットワークがある場合、各々は、意図されるサービス範囲の全体に渡って許容可能な信号品質をユーザ機器が取得可能となる近隣セルリストを作成する必要がある。
【発明の概要】
【発明が解決しようとする課題】
【０００７】
本発明によると、この問題は、ネットワーク内の他のフェムトセルアクセスポイントを含む近隣セルリストを形成することにより解決される。他のフェムトセルアクセスポイントの幾つかが１つのチャネルと１つのスクランブリングコードを共有するであろう高い可能性がある場合に、近隣セルリストの近隣セルに与えられるべきハンドオーバの優先度を決定するための構成が提供される。
【課題を解決するための手段】
【０００８】
本発明の第１の態様によると、セルラ通信ネットワークの基地局における使用のために、近隣セルリストを形成する方法が提供される。その方法は、複数の近隣セルのそれぞれについて、基地局が近隣セルから送信された信号を検出することができるか否かに依り、第１のコンポーネントの値を割り当てる工程と、
前記近隣セルへの成功したハンドオーバの試みであるか、もしくは、成功しなかったハンドオーバの試みであるかの履歴に依り、第２のコンポーネントの値を割り当てる工程と、
近隣セルリストにおける前記近隣セルに与えられるべきハンドオーバの優先度を決定する際に使用するために、第１のコンポーネントの値と第２のコンポーネントの値とを合成して重み付けされたパラメータを形成する工程とを含む。
【０００９】
このようにして、特定の近隣セルに与えられるべきハンドオーバの優先度は、基地局が近隣セルから送信された信号を検出することができるか否かに基づいて、また、近隣セルへの成功したハンドオーバの試みであるか、もしくは、成功しなかったハンドオーバの試みであるかに基づいて、決定されることができる。
【００１０】
本発明の他の態様によると、基地局と、そのような基地局のネットワークとが提供される。
【００１１】
本発明のより良い理解のために、そして、どのように実現されるかを示すために、参照番号が例として添付の図面に示される。
【図面の簡単な説明】
【００１２】
【図１】図１は、セルラ通信ネットワークのサービス範囲における１つの建物を示す。
【図２】図２は、建物における複数のフェムトセルアクセスポイントの配置を示す。
【図３】図３は、より広域な通信ネットワークにおけるフェムトセルアクセスポイントの存在を示す概略図である。
【図４】図４は、本発明に係る第１のプロセスを示すフローチャートである。
【図５】図５は、図４に示すプロセスの一部を詳細に示すフローチャートである。
【図６】図６は、図５に示すプロセスにおいて構成されるモビリティテーブルの一形式を示す。
【発明を実施するための形態】
【００１３】
図１は、建物１０を示しており、建物１０は、セルラ通信ネットワークのマクロセル基地局１２のサービスエリア内に位置している。従って、建物１０の近傍にある、移動電話１４のようなユーザ機器やラップトップコンピュータ等は、マクロセル基地局１２を介してセルラネットワークへの接続を確立することにより、セルラサービスを取得することができる。本発明はここでは、セルラネットワークがＵＭＴＳネットワークである実施形態を参照して記載される。そのような状況において、ネットワークオペレータが同じサービスエリアの範囲に提供するＧＳＭ（登録商標）ネットワーク等の他のセルラ通信ネットワークを有するであろうことがよくある。その場合に、両方のネットワークにおいて動作可能であるユーザ機器がＲＡＴ間（Radio Access Technology）ハンドオーバによってそれらの間をシームレスにハンドオーバ可能なようにするためのネットワーク間でのわずかな接続がある。
【００１４】
建物内のセルラサービスエリアは、稚拙であってサービスの非有効性を招いてしまい、ユーザ機器に高い送信電力で信号を送信させてバッテリ寿命を短縮化させてしまうことが知られている。
【００１５】
それゆえ、建物内に位置するユーザ機器は少なくともフェムトセルアクセスポイントの１つを介してセルラネットワークへの接続を確立することによりセルラサービスを取得可能であるべきことを意図して、フェムトセルアクセスポイントは、建物１０内に配置される。
【００１６】
本発明がオフィスビルや教育施設やショッピングモールのようなユーザが循環することが予測されるような建物内でのフェムトセルアクセスポイントの配置を参照して記載されているが、本発明が他の状況に適用可能であることは明らかであろう。例えば、本発明は、ユーザが循環することを予測されているエリアの通常の所有権と管理との少なくともいずれかがある状況に限られるわけではないが、フェムトセルアクセスポイントの屋外の配置に同様に適用可能である。
【００１７】
図２は、建物１０の内部における１つの概略平面図１６である。本例において、建物１０は、オフィスビルであり、平面１６の全体は、単一の企業体によって占められている。平面１６内で一度に予測されるユーザ数に基づいて、適切なフェムトセルアクセスポイント１８の数が配置される。図２に示されるように、８個のフェムトセルアクセスポイントがＡＰ１〜ＡＰ８として示されている。これらのフェムトセルアクセスポイントは、企業グループを形成している。即ち、それらは、単一の企業体により管理され、フェムトセルアクセスポイントの１つと登録することを許可されているユーザ機器がそれらのいずれかと登録可能であるように組織されている。そのことは、グループ内のフェムトセルアクセスポイントが自己編成可能であることを意味しており、その結果、全体のサービス配信を改善することができる。
【００１８】
フェムトセルアクセスポイント１８は、適切な位置に配置されている。例えば、フェムトセルアクセスポイントの１つに接続して建物に出入りするユーザが可能な限り長く時間を使うことができるように、各入出口の近くのフェムトセルアクセスポイントを提供することが適切な場合がある。加えて、空間内のいずれのユーザであっても、フェムトセルアクセスポイントの１つとの接続を確立可能なように、フェムトセルアクセスポイントは、空間を通してくまなく分配されるべきである。
【００１９】
図３は、フェムトセルアクセスポイントのネットワーク接続を示す概略図である。特に、１つのグループのフェムトセルアクセスポイント１８は、ＬＡＮサーバ２０を有するローカルエリアネットワーク（ＬＡＮ）に全て接続されており、ＬＡＮサーバ２０は、特にインターネットのような公衆広域ネットワークである広域ネットワーク２２への接続も有している。フェムトセルアクセスポイント１８は、セルラ通信ネットワークのコアネットワーク２４に広域ネットワーク２２を介して接続可能である。コアネットワーク２４は、フェムトセルアクセスポイント１８が動作する場合に監視して制御する管理ノード２６を含む。
【００２０】
本発明の一実施形態において、管理ノード２６は、グループにおける全てのフェムトセルアクセスポイントに対して、そのグループについての関連情報を分配する。関連情報は、グループにおける全てのフェムトセルアクセスポイントのＩＤと、メインＲＦパラメータとを含む。メインＲＦパラメータは、例えば、ＵＴＲＡ絶対ＲＦチャネル番号（ＵＡＲＦＣＮ）及びスクランブリングコード（ＳＣ）と、ロケーションエリアコード（ＬＡＣ）及びセルＩＤと、初期電力レベルである。
【００２１】
従って、ここでは、本願発明は、３ＧＰＰにより設定される既存のセルラ標準に従って動作するアクセスポイントにおいての使用について記述される。しかしながら、認識されるであろうことは、アクセスポイント又は基地局の初期ダウンリンク電力がその時に有効な情報に基づいて設定され得る全ての既存及び将来のネットワークを用いるネットワークにおいて、同様の技術が使用され得るということである。
【００２２】
本実施例においては、フェムトセルアクセスポイントは、ダウンリンク監視モードに遷移することができる。ダウンリンク監視モードにおいて、フェムトセルアクセスポイントは、近隣のフェムトセルアクセスポイントのアイデンティティをとらえるために、他のフェムトセルアクセスポイントにより送信された信号を検出することができる。従って、各フェムトセルアクセスポイントにより送信された検出済みのＵＡＲＦＣＮ／ＳＣ及びＬＡＣ／Ｃｅｌｌ−ＩＤと管理ノード２６から受信された情報とを整合することにより、フェムトセルアクセスポイント１８は、近隣テーブルを自動的にポピュレートすることができる。これは、ローカルモビリティ用のハンドオーバの場合で使用されることができる。従って、グループ内でのモビリティは、完全にサポートされる。他のフェムトセルアクセスポイントとのセル再選択は、関連キャリア及びスクランブリングコード情報の各ブロードキャストにより達成される。各フェムトセルアクセスポイントはそれらのＩＤを含む、近隣フェムトセルアクセスポイントのフルマップを有しており、特定のフェムトセルアクセスポイントを明確に示すハンドオーバコマンドを送信することができるので、１つのフェムトセルアクセスポイントから他へのハンドオーバが達成され得る。完全なサポートが、回線交換型（ＣＳ）、パケット交換型（ＰＳ）、マルチプル無線アクセスベアラ（Ｍｕｌｔｉ−ＲＡＢ）コールモビリティについて、また、フェムトセルアクセスポイント間での周波数内及び周波数間のハンドオーバについて提供される。
【００２３】
加えて、各フェムトセルアクセスポイントは、周波数内近隣フェムトセルアクセスポイントの信号強度を示すレポートとともに、接続されたユーザ機器から周期的な測定レポートを受信する。さらに、各フェムトセルアクセスポイントは、圧縮モードで動作する接続されたユーザ機器に対して測定制御メッセージを送信し、それらに周波数間近隣フェムトセルアクセスポイントの周期的な測定を要求する。
【００２４】
さらに、各フェムトセルアクセスポイントは、接続されているローカルエリアネットワークにより他のフェムトセルアクセスポイントと通信可能である。
【００２５】
サービスの意図されたレベルを取得するために各ユーザ機器に必要なハンドオーバを達成可能とするために、複数の近隣セルリストを作成することが各フェムトセルにとって必要である。特に、アイドルモード（即ち、いずれのアクティブなセルをも有さない）と接続モード（即ち、少なくともいずれかのアクティブなセルを有する）であるユーザ機器用の近隣セルリストを作成することが各フェムトセルアクセスポイントにおいて必要である。また、周波数内セル（つまり、第１のセルと同じ周波数上で動作するセル）と、周波数間セル（つまり、第１のセルと異なる周波数上で動作するセル）と、ＲＡＴ間セル（第１のセルがＵＭＴＳセルである場合のＧＳＭセルのような、第１のセルと異なるアクセス技術を用いるセル）用の別個の近隣セルリストを作成することも必要である。
【００２６】
本発明の実施形態において、フェムトセルアクセスポイントは、様々な企業グループ間でのアイドルモードの移動性をサポートするが、単一の企業グループ内でのみ、接続モードの移動性をサポートする。
【００２７】
図４は、近隣セルリストを作成する際のフェムトセルアクセスポイントにおいて追従される処理を一般的な用語で示したフローチャートである。この処理は、フェムトセルアクセスポイントが起動された時にはいつでも実行されることが望ましい。その処理は、例えば、フェムトセルアクセスポイントが新たな近くのフェムトセルアクセスポイントから信号を検出する時のような、異なった結果となるであろう場合にはいつでも再度実行されることができる。
【００２８】
図４においては、処理はステップ４０で開始される。開始処理の部分として、フェムトセルアクセスポイントは、その上で動作するであろうキャリアと、伝送を識別するために用いるであろう一次（Ｐｒｉｍａｒｙ）スクランブリングコードとを既に選択している。
【００２９】
加えて、フェムトセルアクセスポイントは、マスタ関連テーブル（ＭＲＴ）の形式で情報を受信する。マスタ関連テーブルは、グループ内の各フェムトセルアクセスポイントについての以下の情報を含む。つまり、フェムトセルアクセスポイントのユニークなセルＩＤと、フェムトセルアクセスポイントのグループＩＤと、フェムトセルアクセスポイントにより選択された周波数及び一次スクランブリングコードと、他のフェムトセルアクセスポイントのセルＩＤ、一次スクランブリングコード、ＵＴＲＡ絶対ＲＦチャネル番号（ＵＡＲＦＣＮ）、ＣＰＩＣＨＴｘ電力調整、及び、ＣＰＩＣＨＴｘ電力、並びにそのフェムトセルアクセスポイントにより検出されたマクロ層ノードＢｓ、及び検出された中で最も強いセルの情報が含まれる。
【００３０】
フェムトセルアクセスポイントが初めて起動する時にはいつでも、現在ネットワークの一部であることを示すメッセージをブロードキャストする。ランダムフェムトセルアクセスポイントは、その後、自動コンフィグレーションを開始できるように、ＭＲＴのコピーを送信する。
【００３１】
新たなフェムトセルアクセスポイントは、常に特定のタイムスタンプ（生成タイムスタンプとして知られている）とともにＭＲＴに付加される。フェムトセルアクセスポイントの優先度は時々、後述するように、タイムスタンプの値により決定される。
【００３２】
フェムトセルアクセスポイントがその構成を変更する（新たな周波数とスクランブリングコードとの少なくともいずれかを選択するか、もしくは、モビリティテーブルを更新する）ときにはいつでも、それらの変更を、ローカルエリアネットワークを介してＭＲＴを再ブロードキャストする。加えて、管理システムは、仮にそれらがアクティブでないように見える場合には、フェムトセルアクセスポイントをＭＲＴから除去する。
【００３３】
さらに、フェムトセルアクセスポイントは、自身のダウンリンクモニタモード（ＤＬＭＭ）において取得された情報を受信する。ＤＬＭＭにおいて、フェムトセルアクセスポイントは、他の基地局から送信された信号を検出することができる。そして、信号と、そのようなセルにより用いられる送信電力などの付加情報とを検出することができる各セルのアイデンティティを取得することができる。
【００３４】
ステップ４２において、フェムトセルアクセスポイントは、フェムトセルの近隣リストを生成する。この処理は、図５においてより詳細に示される。
【００３５】
従って、図５のステップ４４において、フェムトセルアクセスポイントは、そのアイドルモードのフェムトセル近隣セルリストを生成する。提供範囲の穴（つまり、ＵＥが２つのフェムトセルアクセスポイントを検出することができるが、その２つのフェムトセルアクセスポイントは、相互には検出することができない場合）を避けるために、各フェムトセルアクセスポイントにとっての１つの有効な解決法としては、ＭＲＴにおいて現れる外部及び内部スクランブリングコードの全てを、その近隣セルリストで送信することである。外部スクランブリングコードは、マクロ層の基地局の近隣セルリストにおいて現れることができるものであり、一方、内部スクランブリングコードは、いかなるマクロ層の基地局の近隣セルリストにも現れることができないものである。管理ノード２６は、ネットワークオペレータにより決定されるように、企業にとっての内部及び外部スクランブリングコードのリストをフェムトセルアクセスポイントに提供するであろう。
【００３６】
従って、本実施形態においては、アイドルモード近隣セルリストは、フェムトセルアクセスポイントにより受信されたＭＲＴ内に現れる全ての企業グループにより用いられる全てのスクランブリングコード（外部及び内部の両方）を含むであろう。例えば、２つのスクランブリングコードＳＣ１とＳＣ２がグループ２と３のそれぞれでフェムトセルアクセスポイントにより用いられる（そして、ＭＲＴを介して報告される）場合には、グループ２におけるフェムトセルアクセスポイントは、そのアイドルモード近隣セルリストにおいてＳＣ１及びＳＣ２の両方を有するであろう。ＭＲＴにおいてアクティブ（即ち、失効していない）としてマークされているフェムトセルアクセスポイントのみが、アイドルモード近隣セルリストにおいて含まれるであろう。フェムトセルアクセスポイントはそれゆえ、ＭＲＴをスキャンし、その結果、ＭＲＴにおいて言及されるいかなるグループにおけるいかなるフェムトセルアクセスポイントにより用いられるいかなるスクランブリングコードをも識別する。
【００３７】
ステップ４６において、それらのスクランブリングコードは、適切に、周波数間アイドルモード近隣セルリストと、周波数内アイドルモード近隣セルリストとの少なくともいずれかに付加される。
【００３８】
ステップ４８において、フェムトセルアクセスポイントは、その内部モビリティテーブルか、または、接続モード近隣セルリストを生成する。より具体的には、接続モード近隣セルリストの生成は、アイドルモード近隣セルリストに存在するスクランブリングコードのサブセットを選択することを含み、そして、最大優先度で、セル（ＵＡＲＦＣＮ、一次スクランブリングコード、セルＩＤの組み合わせにより識別される）を発見することを含む。
【００３９】
本実施形態において、フェムトセルアクセスポイントにとっての接続モード近隣セルリストは、フェムトセルアクセスポイントにより受信されたＭＲＴ内に現れる同じ企業グループにより用いられる全てのスクランブリングコード（外部及び内部の両方）を含むことができる。例えば、２つのスクランブリングコードＳＣ１とＳＣ２がグループ２と３のそれぞれでフェムトセルアクセスポイントにより用いられる（そして、ＭＲＴを介して報告される）場合に、グループ２におけるフェムトセルアクセスポイントは、その接続モード近隣セルリストにおいて、ＳＣ２ではなくＳＣ１を有するであろう。再度、ＭＲＴにおいてアクティブ（即ち、失効していない）としてマークされたフェムトセルアクセスポイントのみが、接続モード近隣セルリストに含まれるであろう。
【００４０】
従って、これらのスクランブリングコードは、アイドルモード近隣セルリストのサブセットである場合がある（企業グループにおけるフェムトセルアクセスポイントの数が、有効な外部及び内部ＰＳＣの数より少ない場合）。フェムトセルアクセスポイントは、接続モード近隣セルリストを、その接続されたＵＥに測定制御メッセージを介して通信する。従って、ＳＩＢ（システム情報ブロック）１１におけるＳＩＢ１２は、ＵＥが接続モードでＳＩＢ１２を読み出すのではなく、むしろＳＩＢ１１を読み出すべきであることを示している。
【００４１】
同じＰＳＣを有する企業グループ内に複数のフェムトセルアクセスポイントがある場合があるので、ハンドオーバ先も、セルＩＤ依存となる。そして、ハンドオーバが優先順に基づいてトリガされるように、セルに優先順位付けすることが必要である。重み付け機能は、ＰＳＣとともにありそして最大優先度を有し、最もあり得るフェムトセルアクセスポイントを決定するように計算される。
【００４２】
図６は、接続モード近隣セルリストを含む内部モビリティテーブルの構造を示す。特に、各エントリは、ＵＡＲＦＣＮ、ＰＳＣ、セルＩＤの１つの組み合わせを含む。内部モビリティテーブルリストの生成の目的は、最上位から最下位までの優先順でそれらのエントリを並べることである。内部モビリティテーブルは、マッピングテーブルとして考えられるべきである。ＵＥにより測定された一次スクランブリングコードが１つのそして１つのみのターゲットセルに対応することは必ずしも必要なケースではない。例えば、ＵＥがＰＳＣ３を測定し、ＰＳＣ３が以前に近隣として識別されていなかった場合には、フェムトセルアクセスポイントは、ＰＳＣ３をたまたま用いる同じグループにおけるフェムトセルアクセスポイントを引き続いて試みることが期待される。
【００４３】
内部モビリティテーブルを作成する処理は、内部モビリティテーブルのサイズを定義することにより開始する。そして、テーブル内の全てのセルをゼロに設定して、テーブルのポピュレート処理を開始することができる。セルの値の全ては、起動時にゼロに設定され、その結果、フェムトセルアクセスポイントは、最後に動作した時から、異なる位置に再配置していたかもしれない事実を説明することができる。
【００４４】
まず、ＭＲＴは、企業グループ用に現れるＵＡＲＦＣＮ、ＰＳＣ、セルＩＤのあらゆる組み合わせを発見するように検索される。他のフェムトセルアクセスポイントとマクロ層セルは、この検索から除外される。しかしながら、その検索は、外部ＰＳＣと内部ＰＳＣとを区別しない。発見されたセルは、その後、処理を実行するフェムトセルアクセスポイントに対する潜在的な近隣セルの近隣関係に応じて、より詳細に検査される。より具体的には、より遠隔の関係を有するセルは、セルが２度発見された場合には、より近い関係から取得された結果がより遠隔の関係から取得された結果を上書きするであろう。
【００４５】
従って、相対位置重みが、検索において発見される各セルについて設定される。相対位置重みは、近隣が層１検出済み近隣（即ち、フェムトセルアクセスポイントがダウンリンクモニタモードの場合に信号を検出することができる近隣）、層１交換済みの近隣（即ち、第１のフェムトセルアクセスポイントから信号を検出することができていた近隣であり、第１のフェムトセルアクセスポイントは、その後にＭＲＴからこのことを知る）、もしくは、層２近隣（即ち、層１近隣の検出済み近隣または交換済み近隣）であるかにより決定される。その前提は、最もあり得るハンドオーバ候補が層１検出済み近隣であり、第２にあり得る候補が層１交換済み近隣であろうということである。
【００４６】
フェムトセルアクセスポイントが、同じＵＡＲＦＣＮとＰＳＣを有し、しかし、当然、異なるセルＩＤを有する２つのフェムトセルアクセスポイントである２つの層１検出済み近隣からの信号を検出することができるであろうことは極めてあり得ることである。２つのセルのＰＳＣオフセットは異なるかもしれないので、それらから検出されたマルチパス信号周辺の狭域時間フィルタを適用することにより、それらの近隣からの信号間を区別することが可能となる場合がある。従って、近隣の１つにより送信された信号は、たとえそれらが同じＵＡＲＦＣＮとＰＳＣとともに送信されたとしても、他により送信された信号から区別されることができる。
【００４７】
初期化プロセスの一部として、相対重みｋ１とｋ２はそれぞれ、層１検出済み近隣と、層１交換済み近隣に割り当てられる。例えば、ｋ１は０．５の値をとる場合があり、ｋ２は０．３の値をとる場合がある。
【００４８】
最初に、フェムトセルアクセスポイントは、層１交換済み近隣の全てのＵＡＲＦＣＮ上の検出済み近隣である層２近隣を検索する。全てのそのような近隣についての相対位置重みは、ｋ２／４に設定される。
【００４９】
第２に、フェムトセルアクセスポイントは、企業グループについての全てのＵＡＲＦＣＮ上の層１交換済み近隣を検索する。上述したように、全てのそのような近隣についての相対位置重みは、ｋ２に設定される。
【００５０】
次に、フェムトセルアクセスポイントは、企業グループの全てのＵＡＲＦＣＮ上の層１検出済み近隣により検出される層２近隣を検索する。全てのそのような近隣についての相対位置重みは、ｋ１／４に設定される。
【００５１】
最後に、フェムトセルアクセスポイントは、企業グループについてのＵＡＲＦＣＮ上の層１検出済み近隣を検索する。上述したように、全てのそのような近隣についての相対位置重みは、ｋ１に設定される。
【００５２】
従って、内部モビリティテーブルは今、それぞれが割り当てられた相対位置重みを有する可能な近隣でポピュレートされている。
【００５３】
その後、管理ノード２６が各可能な近隣についてのオペレータ定義重みをフェムトセルアクセスポイントに通知することも可能である。あらゆるＵＡＲＦＣＮ／ＰＳＣ／セルＩＤの組み合わせについてのオペレータ定義重みのデフォルト値は０であるが、このパラメータは、０から１までの範囲においてどのような値でもとり得る。
【００５４】
内部モビリティテーブルは、各ＵＡＲＦＣＮ／ＰＳＣ／セルＩＤについてのハンドオーバサクセス重みも含む。そして、これは、フェムトセルアクセスポイントからの各試みられたハンドオーバ後に更新される。従って、各ＵＡＲＦＣＮ／ＰＳＣ／セルＩＤ組み合わせについて、成功のハンドオーバの試みと不成功のハンドオーバの試みとの数がログとして記録される。
【００５５】
あらゆるハンドオーバの試みの後、試みが成功したか、もしくは失敗したかが判定される。試みが成功したのであれば、ＵＡＲＦＣＮ／ＰＳＣ／セルＩＤについてのハンドオーバサクセス重みパラメータの現在値は増加される。例えば、ハンドオーバサクセス重みパラメータの値は、０．５の上限で以って、０．１ずつ増加される場合がある。反対に、試みが失敗したのであれば、ハンドオーバサクセス重みの現在値は、０の下限で以って、０．１ずつ減少される場合がある。
【００５６】
内部モビリティテーブルは、新たなもしくは更新されたＭＲＴがフェムトセルアクセスポイントにより受信されたときにはいつでも、そして、フェムトセルアクセスポイントのダウンリンクモニタモードにおいていかなる測定が実行されたときにもいつでも更新される。より具体的には、それらの状況においては、相対位置重みが再計算される。
【００５７】
現在の内部モビリティテーブル内のいかなるエントリが、除去されるケースのように、失効したか、もしくは、エントリが作成される必要がある、いかなる新たなＵＡＲＦＣＮ／ＰＳＣ／セルＩＤの組み合わせがあるかが、ＭＲＴから推論される。相対位置重みの再計算処理は、その後、内部モビリティテーブルエントリが初期にゼロにリセットされない以外は、上述したとおりである。
【００５８】
更新された内部モビリティテーブルがその後用いられる。
【００５９】
結合された重みがその後、各ＵＡＲＦＣＮ／ＰＳＣ／セルＩＤの組み合わせについて計算される。ネットワークオペレータは、フェムトセルアクセスポイントに通知されたパラメータで、結合された重みを定義する方法を定義する。
【００６０】
パラメータの第１の値で、オペレータ定義重みは、フェムトセルアクセスポイントにおいて計算された２つの重み値に付加される。従って、
結合された重み＝オペレータ定義重み＋相対位置重み＋ハンドオーバサクセス重み
パラメータの第２の値で、オペレータ定義重みは、結合された重みを計算することにおいては用いられない。従って、
結合された重み＝相対位置重み＋ハンドオーバサクセス重み
パラメータの第３の値で、オペレータ定義重みのみが、結合された重みを計算することにおいて用いられる。従って、
結合された重み＝オペレータ定義重み
従って、本実施形態において、相対位置重みとハンドオーバ重みとが結合された重みを計算するために用いられる場合に、それらは、結合された重みの５０％をそれぞれ寄与するように、相互に加えられる。そして、これは、０から１までの範囲に収まる。しかしながら、それらの様々なパラメータが各ＵＡＲＦＣＮ／ＰＳＣ／セルＩＤに重みを与えるように結合され得る多くの他の方法があることが理解されよう。
【００６１】
たとえ、ネットワークオペレータが、フェムトセルアクセスポイントが１つの特定時に結合された重みを計算するためにオペレータ定義重みのみを用いるべきであっても、フェムトセルアクセスポイントは、それにも拘わらず、ネットワークオペレータが構成を変更した場合には、情報が現在のものであるように、相対位置重みとハンドオーバサクセス重みを計算し続ける。
【００６２】
上述のように計算された、結合された重みは、従って、内部モビリティテーブルから得られた接続モード近隣セルリストにおける各セルの優先度を設定するために用いられる。
【００６３】
図５に示されるステップ４８はこのように完了し、そして、図示された処理は、図４のステップ５０に戻る。フェムトセルアクセスポイントは、そのアイドルモード及び接続モード近隣セルリストに、マクロ層からのセル、望ましくは最大優先度のマクロ層セルを含む必要がある。本実施形態においては、同じマクロ層セルは、アイドルモード及び接続モード近隣セルリストに含まれる。そして、後述の処理がマクロ層近隣のまさに１つのセットを発見することに用いられる。
【００６４】
従って、特定時の企業内でのフェムトセルアクセスポイントのポピュレーションにより用いられる外部及び内部スクランブリングコードは、周波数間及び周波数内アイドルモード及び接続モード近隣セルリストの生成を開始するためにＭＲＴからどのように抽出されるかについて今まで述べてきた。
【００６５】
ステップ５０において、マクロ層近隣をそれらのリストに付加する処理が、完全なアイドルモード及び接続モード近隣セルリストを作成するために開始される。特に、ステップ５０において、近隣として用いられるかもしれない同じセルラネットワーク（即ち、同じＰＬＭＮ）におけるマクロ層セルが識別される。
【００６６】
例えば、内部もしくは外部スクランブリングコードリストの一部であるスクランブリングコードを用いるセルは、それらがフェムトセルに割り当てられることを想定され得ることに基づいて、除外され得る。図示された実施形態において、さらなるステップが他の近くのフェムトセルを識別することを避けるために実行される。それは、マクロ層セルとしてスクランブリングコードの異なる範囲を用いる場合がある。特に、フェムトセルアクセスポイントが、そのダウンリンクモニタモードにおける全ての有効なＵＡＲＦＣＮ上の他の基地局からの信号を検出することができる場合に、それらのＳＩＢ７の内容も検査される。フェムトセルアクセスポイントは、フェムトセルアクセスポイントに対して特定のＣＰＩＣＨ調整ファクタについての情報をブロードキャストするために、ＳＩＢ７を用いることができるので、ＳＩＢ７がＣＰＩＣＨ調整ファクタを含まないセルのみがマクロ層セルとしてみなされる。従って、それが、それらのフィルタされたマクロ層スクランブリングコードと、マクロ層近隣ランキングアルゴリズムに含まれる近隣セルリストである。
【００６７】
ステップ５２において、識別されたマクロ層近隣が、ＭＲＴから受信した情報と、ダウンリンクモニタモードで取得された情報とに基づいて、それらが用いているキャリアと無線アクセス技術により、グループ化される。より具体的には、フェムトセルアクセスポイントがＵＭＴＳフェムトセルである場合には、マクロ層セルは、同じキャリアを用いるＵＭＴＳマクロセル、異なるキャリアを用いるＵＭＴＳマクロセル、ＧＳＭ（又は他の）マクロセルにグループ化される。
【００６８】
このようにグループ化されると、近隣セルは、周波数内、周波数間、ＲＡＴ間近隣セルリストの関連する１つに、より詳細に後述するように付加される。優先度が最大の可能性がある近隣を識別するために、フェムトセルアクセスポイントは、同じ企業グループにおける周囲のフェムトセルアクセスポイントの、そして、ダウンリンクモニタモードにおいて検出されたどのマクロ層セルの復号化されたＢＣＨ情報に、また、ＭＲＴを介して通信された近隣リスト情報に依存するであろう。
【００６９】
各フェムトセルアクセスポイントは、例えば、それらのＳＩＢにおいてマクロ層とフェムト層セルによりブロードキャストされたリストを復号化することにより、そして、ＭＲＴを調べることにより、近隣セルの複数のリストを取得することができる。フェムトセルアクセスポイントは、その後、ランキング処理を通してマクロ層近隣セルリストを生成するための２つの段階の処理において、ダウンリンクモニタモードにおいて取得され、検出されたセルの受信信号コード電力（ＲＳＣＰｓ）の測定値を用いる。
【００７０】
ステップ５４において、各セルのランクが算出される。
【００７１】
ＵＭＴＳマクロ層近隣について、ランクが以下のように算出される。
【００７２】
最初に、ダウンリンクモニタモードにおいてフェムトセルアクセスポイントにより検出された各他のフェムトセルアクセスポイントと各マクロ層セルとについて、重み付けの定数ｗｉを算出する。
【００７３】
ｗｉ＝ＲＳＣＰｉ／ＲＳＣＰｍａｘ
ここで、ＲＳＣＰｉは、ｉ番目の検出されたマクロ層セルやフェムトセルアクセスポイント（ｉ＝１、・・・、ｎ）のｍＷにおけるＲＳＣＰ値である。そして、ＲＳＣＰｍａｘは、いずれの検出されたマクロ層セルまたはフェムトセルアクセスポイントのｍＷにおける最大のＲＳＣＰ値である。
【００７４】
第２に、ダウンリンクモニタモードにおいてフェムトセルアクセスポイントにより検出されたフェムトセルアクセスポイントまたは各マクロ層セルについて、マクロ層セル又はフェムトセルアクセスポイントにより所有された近隣リストにおける各マクロ層セルに対して、関連した算出された重み付け定数を割り当てる。
【００７５】
第３に、ＭＲＴにおいて現れる各マクロ層セルについて、０．０１の固定された重み付けを割り当てる。このことにより、幾つかのマクロ層セルが最終的な近隣リストにおいてなお現れるであろうということを確かにする。フェムトセルアクセスポイントの次の層によりブロックされている全ての周囲のフェムトセルアクセスポイントとマクロ層基地局の極端な場合でさえ確かにする。しかしながら、０．０１の低い重み付けは、これらのセルが殆どの状況において、よりあり得る近隣のおかげで、近隣リストから切り捨てられるであろう。
【００７６】
第４に、各独自のＵＭＴＳマクロ層セルのランクは、以前のステップにおいてセルに割り当てられた重み付けの定数の全ての合計値として算出される。即ち、潜在的な近隣マクロ層セルが１以上の他のマクロ層セルか若しくは他のフェムトセルアクセスポイントの近隣リストに現れる場合に、そのランクは、他のマクロ層セルか又はフェムトセルアクセスポイントについて算出された重み付けの定数を相互に加えることにより算出される。
【００７７】
２Ｇ（ＧＳＭ等）マクロ層近隣について、ランクは異なる方法で算出される。各検出された２Ｇマクロ層近隣セルについて、そのランクはまず、Ｒｘレベル（Ｒｘ＿Ｌｅｖｉ）により判定される。第２に、各得られた２Ｇマクロ層近隣（即ち、手順を実行するフェムトセルアクセスポイントにより直接検出され得ないが、ダウンリンクモニタモードでフェムトセルアクセスポイントにより検出された他のフェムトセルアクセスポイントか又はマクロ層セルの近隣セルリストに現れる近隣）について、ランクが、近隣セルリストに現れるフェムトセルアクセスポイントか又は３Ｇマクロ層セルについて、上記のように算出された重み定数により決定される。
【００７８】
マクロ層セルのランクを算出すると、処理は、周波数内、周波数間、ＲＡＴ間マクロ層セルを別個に考慮する。
【００７９】
ステップ５６において、手順を実行するフェムトセルアクセスポイントと同じキャリア上で潜在的な近隣セルのみを考慮し、フェムトセルアクセスポイントにより検出されたマクロ層セルは、ＲＳＣＰの順序で近隣セルリストに追加される。その際に、セルは、最大優先度を与えられる最大のＲＳＣＰを有する。
【００８０】
その後、ステップ５８において、手順を処理するフェムトセルアクセスポイントと同じキャリア上の他の潜在的な近隣セルは、上述したように算出されたランク順に近隣セルリストに追加される。
【００８１】
周波数内近隣セルリストは、Ｎｉｎｔｒａの最大サイズを有し、ステップ６０において、最大サイズに到達するまで、マクロ層セルが選択されてリストに追加される。
【００８２】
ステップ６２において、手順を実行するフェムトセルアクセスポイントと異なるキャリア上の潜在的な近隣セルのみを考慮し、フェムトセルアクセスポイントにより検出されたマクロ層セルが、ＲＳＣＰ順に近隣セルリストに追加される。その際に、セルは、最大優先度を与えられる最大のＲＳＣＰを有する。
【００８３】
その後、ステップ６４において、手順を実行するフェムトセルアクセスポイントと異なるキャリア上の他の潜在的な近隣セルが、上述したように算出されたランク順に近隣セルリストに追加される。
【００８４】
周波数間近隣セルリストは、Ｎｉｎｔｅｒの最大サイズを有し、ステップ６６において、最大サイズに到達するまで、マクロ層セルが選択されてリストに追加される。
【００８５】
ＲＡＴ間、即ち、ＧＳＭ近隣セルを考慮し、ステップ６８において、マクロ層検出済み近隣（即ち、手順を実行するフェムトセルアクセスポイントにより直接に検出され得る近隣）が最初にランキングされる。より具体的には、各セルのランクは、Ｒｘ＿レベル（ＲＸ＿Ｌｅｖｉ）により決定される。その際に、セルは、最大にランキングされている最大受信レベルを有する。
【００８６】
ステップ７０において、各得られたマクロ層近隣（即ち、手順を実行するフェムトセルアクセスポイントにより直接検出され得ないが、ダウンリンクモニタモードでフェムトセルアクセスポイントにより検出された他のフェムトセルアクセスポイントか又はマクロ層セルの近隣セルリストに現れる近隣）について、ランクが、近隣セルリストに現れるフェムトセルアクセスポイントか又は３Ｇマクロ層セルについて、上記のように算出された重み定数により決定される。
【００８７】
ステップ７２において、セルが上記決定されたランク順でリストに追加される。
【００８８】
ＲＡＴ間近隣セルリストは、ＮＧＳＭの最大サイズを有し、ステップ７４において、最大サイズに到達するまで、マクロ層セルが選択されて関連リストに追加される。
【００８９】
周波数内、周波数間、ＲＡＴ間近隣セルについてのアイドルモード及び接続モード近隣セルリストを形成する方法が以上のように開示される。
【図１】
0005530519.tif 000002
【図２】
0005530519.tif 000003
【図３】
0005530519.tif 000004
【図４】
0005530519.tif 000005
【図５】
0005530519.tif 000006
【図６】
0005530519.tif 000007